(57)【要約】      （修正有）【課題】サイズダウン・製造コストダウンを可能にし、発光体の発光ばらつきを低減できる電流供給装置を提供する。【解決手段】電流供給装置２は、複数の発光体１１１、１１２、１１３と、単一の定電流源４０と、複数の発光体１１１、１１２、１１３の各々に同一の又は異なる定電流を供給するように定電流の供給先および定電流源４０を制御する制御回路３００と、を備える。【選択図】図２
2016151432.tif 000002
【特許請求の範囲】
【請求項１】
複数の前記発光体と、
単一の定電流源と、
複数の前記発光体の各々に同一の又は異なる定電流を供給するように前記定電流の供給先および前記定電流源を制御する制御回路と、を備える、
電流供給装置。
【請求項２】
前記制御回路は、各々が異なる波長の光を発する複数の前記発光体の各々に周期的に前記定電流を供給する、
請求項１に記載の電流供給装置。
【請求項３】
複数の前記発光体は、第１波長の光を発する第１発光体と前記第１波長とは異なる波長である第２波長の光を発する第２発光体とを含み、
前記制御回路は、前記第１発光体の駆動終了時から所定期間の経過後、前記第２発光体に前記定電流を供給する、
請求項１または請求項２に記載の電流供給装置。
【請求項４】
前記制御回路は、
複数の前記発光体ごとの輝度を規定する複数の輝度制御部と、
いずれかの前記輝度制御部を前記定電流源に接続する第１スイッチと、
複数の前記発光体のうち、複数の前記輝度制御部のいずれかに対応付けられた発光体に前記定電流源を接続する第２スイッチと、をさらに備える、
請求項１乃至請求項３の何れか１項に記載の電流供給装置。
【請求項５】
請求項１乃至請求項４の何れか１項に記載の電流供給装置を備える乾き度測定装置。
【発明の詳細な説明】
【技術分野】
【０００１】
本発明は、電流供給装置、乾き度測定装置及び電流供給方法に関する。
【背景技術】
【０００２】
様々な物性を測定するために照明装置が多数用いられている。例えば、特許文献１には、照明装置から射出され蒸気を透過した光の透過率を検出して蒸気の乾き度を測定する装置が記載されている。特にこのような測定装置に適する照明装置として、特許文献２には、必要な電力量が異なる複数の負荷に対して順次電力を供給する電源装置と、前記負荷として複数色の照明光のうちの各色の照明光を順次出射する複数の発光手段を有し、前記電源装置は、スイッチングタイミングの位相が異なる複数のＤＣ−ＤＣコンバータからなる電源手段と、前記負荷の切り替わりによる電力変化量に応じて、前記複数のＤＣ−ＤＣコンバータのうち駆動するＤＣ−ＤＣコンバータの数を制御する制御手段とを有する照明装置が記載されている。
【先行技術文献】
【特許文献】
【０００３】
【特許文献１】特開２０１３−０９２４５７号公報
【特許文献２】特開２００６−１７４６７７号公報
【発明の概要】
【発明が解決しようとする課題】
【０００４】
特許文献２記載の照明装置においては、赤緑青各色のＬＥＤごとに定電流回路５９ａ，ｂ，ｃの各々が設けられており、各定電流回路５９ａ，ｂ，ｃの熱対策のため各回路を所定の距離離して配置する必要があるため、ＬＥＤ駆動回路のサイズが大きくなるおそれがある。
【０００５】
また、各定電流回路５９ａ，ｂ，ｃは高速駆動・大電流容量が要求されるＦＥＴ６１ａ，ｂ，ｃをそれぞれ備えていることから、ＬＥＤ駆動回路の製造コストが増大するおそれがある。
【０００６】
さらに、赤緑青各色のＬＥＤごとに定電流回路５９ａ，ｂ，ｃの各々が設けられているので、各定電流回路５９ａ，ｂ，ｃの構成部品の製品ばらつきがそのまま各ＬＥＤの発光ばらつきとなるおそれがある。
【０００７】
そこで、本発明は、電流供給装置のサイズダウン・製造コストダウンを可能にし、発光体の発光ばらつきを低減することを目的の一つとする。
【課題を解決するための手段】
【０００８】
上記課題を解決するために、本発明の一側面に係る電流供給装置は、複数の前記発光体と、単一の定電流源と、複数の前記発光体の各々に同一の又は異なる定電流を供給するように前記定電流の供給先および前記定電流源を制御する制御回路と、を備える。
【０００９】
また、上記課題を解決するために、本発明の一側面に係る乾き度測定装置は、電流供給装置を備える。
【００１０】
さらに、上記課題を解決するために、本発明の一側面に係る電流供給方法は、単一の定電流源が供給する定電流であって同一の又は異なる定電流を、複数の前記発光体の各々に供給するように前記定電流の供給先および前記定電流源を制御するステップを含む。
【００１１】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されても良い。
【発明の効果】
【００１２】
本発明によれば、単一の定電流源を備え、複数の発光体の各々に同一の又は異なる定電流を供給するように定電流の供給先および上記定電流源を制御するように構成したので、各発光体に共通して単一の定電流源を使用することができ、電流供給装置のサイズダウン・製造コストダウンを可能にし、発光体の発光ばらつきを低減することができる。
【図面の簡単な説明】
【００１３】
【図１】本発明の第１実施形態に係る乾き度測定装置の一例を示した模式図である。
【図２】本発明の第１実施形態に係る電流供給装置の一例を示したブロック図である。
【図３】本発明の第１実施形態に係る、各ＬＥＤの発光タイミングおよびサンプリング周期の一例を示した図である。
【図４】本発明の第２実施形態に係る電流供給装置の一例を示したブロック図である。
【発明を実施するための形態】
【００１４】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１５】
＜第１実施形態＞
（構成）
図１は、本発明の実施形態に係る乾き度測定装置の一例を示した模式図である。図１に示すように、第１実施形態に係る乾き度測定装置１は、例示的に、発光部１１、受光部１２、及びコンピュータ装置１００を備えて構成される。また、コンピュータ装置１００は、例示的に、機能ブロックとして、乾き度測定部２００を備えて構成される。
【００１６】
発光部１１は、所定の波長の光を射出する発光手段である。発光部１１は、例示的に、複数の発光体たとえばＬＥＤ（Ｌｉｇｈｔ  Ｅｍｉｔｔｉｎｇ  Ｄｉｏｄｅ）を備えて構成されている。
【００１７】
発光部１１には、入射側筒２１を接続してもよい。配管２０には、入射側筒２１から入射開口Ａ１を介して照射され、配管２０の内部の蒸気を透過又は反射した光が射出開口Ａ２を介して進入する射出側筒２２を接続してもよい。ここで、Ｌは光の経路を示している。
【００１８】
受光部１２は、配管２０内の湿り蒸気を透過又は反射した光を受けて、光の強度及び／又は吸光度を測定する測定手段である。受光部１２は、湿り蒸気を透過又は反射した光の強度に応じた光強度信号Ｓｄをコンピュータ装置１００に出力する。また、受光部１２として、光の強度及び／又は吸光度に対応する出力が得られる光学的計測機器（たとえば、分光光度計）を適用することも可能であり、分光光度計は湿り蒸気を透過又は反射した光の吸光度に応じた吸光度信号Ｓａをコンピュータ装置１００に出力してもよい。
【００１９】
コンピュータ装置１００は、受光部１２により測定された光の強度又は吸光度に基づいて湿り蒸気の乾き度を測定する、本発明の乾き度測定部２００として機能する演算手段である。乾き度測定部２００は、受光部１２により測定された光の強度又は吸光度に基づいて蒸気の乾き度を測定する機能ブロックである。具体的には、乾き度測定部２００は、予め取得・記憶された、光の強度（又は吸光度）と湿り蒸気の乾き度との関係と、受光部１２により測定された光の強度（又は吸光度）と、に基づいて蒸気の乾き度を測定する。なお、光の強度（又は吸光度）と湿り蒸気の乾き度との関係は、例えば、ボイラ等で湿り蒸気を加熱しながら、従来の乾き度計で湿り蒸気の乾き度を測定し、あわせて湿り蒸気を透過または反射した光の強度（又は吸光度）を測定することによって、予め取得することが可能である。
【００２０】
このように、様々な条件における、光の強度（又は吸光度）と湿り蒸気の乾き度との関係を予め把握するために、後述するとおり、発光部１１に含まれる各ＬＥＤは周期的に駆動（発光）し、各ＬＥＤからの光は時分割で配管２０内の湿り蒸気に照射される。以下、各ＬＥＤの駆動（発光）について詳述する。
【００２１】
図２は、本発明の第１実施形態に係る電流供給装置の一例を示したブロック図である。図２に示すように、第１実施形態に係る電流供給装置２は、例示的に、電源部３０と、抵抗素子３５と、定電流源４０と、切換信号生成部５０と、ＬＥＤ切換部６０と、輝度制御部切換部７０と、輝度制御部８０と、複数のＬＥＤ（発光体）１１１，１１２，１１３とを備える。
ここで、例示的に、電流供給装置２が備える上記各構成のうち、定電流源４０および複数のＬＥＤ１１１，１１２，１１３を除く構成を制御回路３００という。
【００２２】
各ＬＥＤ１１１，１１２，１１３は、各々が異なる波長の光を発する。各ＬＥＤは湿り蒸気の液相部分には吸収されず、気相部分に吸収されるような波長を有する光を発するもの、湿り蒸気の気相部分には吸収されず、液相部分に吸収されるような波長を有する光を発するもの、または湿り蒸気の気相部分及び液相部分に吸収されないような波長を有する光（たとえば参照用光）を発するものが含まれる。
【００２３】
湿り蒸気の気相部分には吸収されず、液相部分に吸収されるような光の波長は、クラスタ（水素結合を介して結合する水分子同士の結合体）における水分子同士が形成した水素結合の数と相関するよう設定される。例えば、各ＬＥＤのいずれかが発する光の波長は、水素結合数が０の場合の水分子の吸光ピークが表れる１８８０ｎｍであってもよく、水素結合数が１の場合の水分子の吸光ピークが表れる１９１０ｎｍであってもよい。ただし、各ＬＥＤのいずれかが発する光の波長は、水に吸収される波長帯域内であれば、水分子の吸光ピーク波長と異なっていてもよい。例えば、各ＬＥＤのいずれかが発する光の波長は、１８８０乃至１９１０ｎｍの間であってもよい。
【００２４】
なお、発光体として、スーパールミネッセントダイオード、半導体レーザ、レーザ発振器、蛍光放電管、低圧水銀灯、キセノンランプ、及び電球等が使用可能である。
【００２５】
制御回路３００は、各ＬＥＤ１１１，１１２，１１３の各々に同一の又は異なる定電流を供給するように定電流の供給先（各ＬＥＤ１１１，１１２，１１３のいずれか）および定電流源４０を制御する回路である。
【００２６】
定電流源４０は、各ＬＥＤ１１１，１１２，１１３に流れる定電流を設定するための回路であり、本実施形態においては、単一の構成（すべてのＬＥＤ１１１，１１２，１１３に対して共用の構成）として採用されている。定電流源４０は、例示的に、演算増幅器４１と、ＦＥＴ４２と、抵抗素子４３とを備える。演算増幅器４１の出力端子はＦＥＴ４２のゲートに接続される。演算増幅器４１の反転入力端子は、抵抗４３とＦＥＴ４２のソースとの接続点に接続され、この接続点と電源部３０との間に抵抗素子４３が接続される。演算増幅器４１の非反転入力端子には、制御回路３００から定電流の設定値が与えられる。ＦＥＴ４２は、いずれのＬＥＤを駆動するために十分な電流を供給可能な能動素子の例示であり、ＦＥＴ以外の構成、例えばバイポーラトランジスタ、駆動用ＩＣ等で構成してもよい。ＦＥＴ４２は、演算増幅器４１の出力電圧に対応した電流量の定電流を出力するようになっている。
【００２７】
たとえば、定電流源４０は、ＬＥＤ１１１を流れる電流を、ＦＥＴ４２を介して抵抗素子４３を流れる電流に基づいて設定する。抵抗素子４３を流れる電流は、抵抗素子４３の両端電圧に基づいており、当該電圧が演算増幅器４１の反転入力端子に供給される。上記したとおり、演算増幅器４１の非反転入力端子には、制御回路３００から定電流の設定値が与えられる。したがって、抵抗素子４３の両端電圧が、制御回路３００から与えられる設定値と等しくなるように負帰還がかかり、ＦＥＴ４２及び抵抗６２ａを介して流れる電流は、制御回路３００からの設定値に応じて制御される。制御回路３００は、ＬＥＤ１１２，１１３に定電流が供給する場合においても同様に制御する。なお、上記設定値は、制御回路３００において何らかの記憶部（不図示）に記録されている。上記したとおり、制御回路３００は、各ＬＥＤ１１１，１１２，１１３の各々に定電流を供給するように定電流源４０を制御するが、各ＬＥＤに供給する定電流は、異なる定電流である必要はなく、同一の定電流を供給するように制御してもよい。
【００２８】
電源部３０は、電力を定電流源４０に供給するブロックであり、定電流源４０および抵抗素子３５を介して輝度制御部切換部７０に接続されている。
【００２９】
切換信号生成部５０は、後述するＬＥＤ切換部６０および輝度制御部切換部７０を制御するための信号を生成するブロックである。切換信号生成部５０は、たとえば、ＬＥＤ切換部６０および輝度制御部切換部７０と接続され、輝度制御部切換部７０が備える各スイッチ７１，７２，７３（第１スイッチ）およびＬＥＤ切換部６０が備える各スイッチ６１，６２，６３（第２スイッチ）の切換を制御（ＯＮまたはＯＦＦ）するための信号を生成し出力する。
【００３０】
輝度制御部８０は、複数のＬＥＤ１１１，１１２，１１３ごとの輝度を規定するブロックであり、例示的に、複数の輝度制御部８１，８２，８３を備えて構成されている。たとえば、複数の輝度制御部８１，８２，８３の各々は、複数のＬＥＤ１１１，１１２，１１３の各々に対応している。輝度制御部８１，８２，８３の各々は、各ＬＥＤ１１１、１１２、１１３を所望の輝度で発光させるために適切な電流量の定電流が定電流源４０から対応するＬＥＤに供給されるような電圧を定電流源４０のＦＥＴ４２のゲート端子に供給するように各々構成されている。
【００３１】
輝度制御部切換部７０が備える各スイッチ７１，７２，７３（第１スイッチ）は、いずれかの上記輝度制御部８１，８２，８３を定電流源４０に接続する。
たとえば、切換信号生成部５０からの制御信号に基づいて輝度制御部切換部７０のスイッチ７１がＯＮされると、輝度制御部８１は、定電流源４０に接続される。
また、切換信号生成部５０からの制御信号に基づいて輝度制御部切換部７０のスイッチ７２がＯＮされると、輝度制御部８２は、定電流源４０に接続される。
さらに、切換信号生成部５０からの制御信号に基づいて輝度制御部切換部７０のスイッチ７３がＯＮされると、輝度制御部８３は、定電流源４０に接続される。
【００３２】
ＬＥＤ切換部６０が備える各スイッチ６１，６２，６３（第２スイッチ）は、複数の発光体１１１，１１２，１１３のうち、複数の輝度制御部８１，８２，８３のいずれかに対応付けられた発光体に定電流源４０を接続する。
たとえば、切換信号生成部５０からの制御信号に基づいてＬＥＤ切換部６０のスイッチ６１がＯＮされると、輝度制御部８１に対応づけられた発光体１１１に定電流源４０を接続する。
また、切換信号生成部５０からの制御信号に基づいてＬＥＤ切換部６０のスイッチ６２がＯＮされると、輝度制御部８２に対応づけられた発光体１１２に定電流源４０を接続する。
さらに、切換信号生成部５０からの制御信号に基づいてＬＥＤ切換部６０のスイッチ６３がＯＮされると、輝度制御部８３に対応づけられた発光体１１３に定電流源４０を接続する。
【００３３】
このように、切換信号生成部５０からの制御信号に基づいて輝度制御部切換部７０のスイッチ７１がＯＮされ、ＬＥＤ切換部６０のスイッチ６１がＯＮされると、輝度制御部８１は、定電流源４０に接続され、輝度制御部８１に対応づけられた発光体１１１に定電流源４０が接続され、定電流源４０から発光体１１１に設定された定電流が流れる。
また、切換信号生成部５０からの制御信号に基づいて輝度制御部切換部７０のスイッチ７２がＯＮされ、ＬＥＤ切換部６０のスイッチ６２がＯＮされると、輝度制御部８２は、定電流源４０に接続され、輝度制御部８２に対応づけられた発光体１１２に定電流源４０が接続され、定電流源４０から発光体１１２に設定された定電流が流れる。
さらに、切換信号生成部５０からの制御信号に基づいて輝度制御部切換部７０のスイッチ７３がＯＮされ、ＬＥＤ切換部６０のスイッチ６３がＯＮされると、輝度制御部８３は、定電流源４０に接続され、輝度制御部８３に対応づけられた発光体１１３に定電流源４０が接続され、定電流源４０から発光体１１３に設定された定電流が流れる。
以上のとおり、輝度制御部８０の出力が、ＬＥＤごとに分かれているため、各々が異なる波長の光を発するなどＬＥＤ特性が異なる複数のＬＥＤの各々を任意の光強度・時間などで駆動をすることができる。
【００３４】
制御回路３００は、各々が異なる波長の光を発する複数のＬＥＤ（発光体）１１１，１１２，１１３の各々に周期的に定電流を供給する。
【００３５】
図３は、本発明の第１実施形態に係る、各ＬＥＤの発光タイミングおよびサンプリング周期の一例を示した図である。図３に示すように、各ＬＥＤ１１１，１１２，１１３の各々は、ある期間（１周期：数ミリ秒）において期間Ｘ１，Ｘ２，Ｘ３の間発光し、これを繰り返す。
【００３６】
また、制御回路３００は、ＬＥＤ１１１（第１発光体）の駆動終了時から所定期間の経過後、ＬＥＤ１１２（第２発光体）に定電流を供給する。また、制御回路３００は、ＬＥＤ１１２の駆動終了時から所定期間の経過後、ＬＥＤ１１３に定電流を供給する。さらに、制御回路３００は、ＬＥＤ１１３の駆動終了時から所定期間の経過後、ＬＥＤ１１１に定電流を供給する。
【００３７】
具体的には、図３に示すように、各ＬＥＤ１１１の駆動（発光）期間Ｘ１の終了時からＹ１の経過後、ＬＥＤ１１２が発光する。また、各ＬＥＤ１１２の発光期間Ｘ２の終了時からＹ２の経過後、ＬＥＤ１１３が発光する。さらに、各ＬＥＤ１１３の駆動（発光）期間Ｘ３の終了時からＹ３の経過後、ＬＥＤ１１１が発光する。
【００３８】
このように、制御回路３００は、各々が異なる波長の光を発する複数のＬＥＤ１１１，１１２，１１３の各々に周期的に定電流を供給し、且つ、各ＬＥＤの駆動（発光）の間に所定期間が設けられる。各ＬＥＤの発光の間に所定期間が設けられる理由は、あるＬＥＤの発光と、あるＬＥＤの先または後のＬＥＤの発光と、が混じり合うことを防止するためである。なお、各ＬＥＤ１１１，１１２，１１３の発光期間Ｘ１，Ｘ２，Ｘ３の各々は、同一であってもよく、異なっていてもよい。また、同様に、上記期間Ｙ１，Ｙ２，Ｙ３の各々も同一であってもよく、異なっていてもよい。
【００３９】
さらに、図１に示す受光部１２は、各ＬＥＤ１１１，１１２，１１３からの光を受光し、図３の（ｄ）の上矢印で示すとおり、各光を所定のタイミングで測定する。本実施形態においては、受光部１２は、各ＬＥＤが発光している期間Ｘ１，Ｘ２，Ｘ３の各々に少なくとも１回測定できるように測定タイミングが設定されるように構成されている。
【００４０】
（効果）
以上より、第１実施形態によれば、単一の定電流源を備え、複数の発光体の各々に同一の又は異なる定電流を供給するように定電流の供給先および上記定電流源を制御するように構成したので、各発光体に共通して単一の定電流源を使用することができ、電流供給装置のサイズダウン・製造コストダウンを可能にし、発光体の発光ばらつきを低減することができる。
【００４１】
＜第２実施形態＞
次に、第１実施形態では、定電流源４０から定電流が吐き出される構成（吐き出し型電流源）を採用したが（図２参照）、第２実施形態では、定電流源４０に電流が吸い込まれる構成（吸い込み型電流源）を採用し、以下説明する。なお、特に記述がない限り、前述した実施形態と同一構成部分は同一符号をもって表し、その説明を省略する。
【００４２】
（構成）
図４は、本発明の第２実施形態に係るＬＥＤ駆動装置の一例を示したブロック図である。図４に示すように、電流供給装置３においては、電源部３０と各ＬＥＤとが直接接続し、定電流源４０は電源部３０の反対側から各ＬＥＤ１１１，１１２，１１３に接続可能な構成となっており、定電流源４０に電流が吸い込まれる構成（吸い込み型電流源）を採用している。
【００４３】
具体的に、第１実施形態においては、電流供給装置２において定電流源４０が電源部３０と各ＬＥＤとの間に配置され、定電流源４０から定電流が吐き出される構成を採用したが、本実施形態においては、電流供給装置３において電源部３０と各ＬＥＤとが直接接続し、定電流源４０は電源部３０の反対側から各ＬＥＤ１１１，１１２，１１３に接続可能にしたことで、定電流源４０に電流が吸い込まれる構成を採用したことが、各実施形態間の相違点である。
【００４４】
（効果）
以上より、第２実施形態によれば、吸い込み型電流源を採用した電流供給装置であっても、各発光体に共通して単一の定電流源を使用することができ、電流供給装置のサイズダウン・製造コストダウンを可能にし、発光体の発光ばらつきを低減することができる。
【００４５】
＜第３実施形態＞
次に、第１実施形態では、抵抗素子３５によって定電流源４０の演算増幅器４１の非反転入力端子を電源電圧に制御することにより、輝度制御部切換部７０のスイッチ７１乃至７３の全てがＯＦＦの場合に電流出力がＯＦＦとなることが担保されているが（図２参照）、第３実施形態においては、電源に相当する電圧（電源電圧）を入力する手段とスイッチとを新たに採用することによって、定電流源４０の演算増幅器４１の非反転入力端子を電源電圧に制御し、輝度制御部切換部７０のスイッチ７１乃至７３の全てがＯＦＦの場合に電流出力がＯＦＦとなるように制御する。たとえば、図２に示す抵抗素子３５、輝度制御部切換部７０、および輝度制御部８０の構成に代えて、ＤＡＣ（Ｄｉｇｉｔａｌ  ｔｏ  Ａｎａｌｏｇ  Ｃｏｎｖｅｒｔｅｒ）回路や他の電圧発生回路を採用することによって、定電流源４０の演算増幅器４１の非反転入力端子を電源電圧に制御する。
【００４６】
（他の実施形態）
上記各実施形態は、本発明の理解を容易にするためのものであり、本発明を限定して解釈するものではない。本発明はその趣旨を逸脱することなく、変更／改良（たとえば、各実施形態を組み合わせること、各実施形態の一部の構成を省略すること）され得るとともに、本発明にはその等価物も含まれる。本発明は、上記第１実施形態及び第２実施形態に限定されることなく、種々に組み合わせることができ、変形して適用することが可能であり、各実施形態が有する各構成要素についても、種々に組み合わせることができ、変形して適用することが可能である。
【００４７】
乾き度測定部２００は、光の強度又は吸収度に基づいて乾き度を測定する過程において、飽和蒸気の量や飽和水の量も求めることができるように構成されていてもよい。
【００４８】
ＬＥＤ１１１，１１２，１１３は上記各実施形態においては三つで説明をしているが、数に制限はなく、二つであっても四つ以上であってもよい。
【００４９】
なお、ＦＥＴ４２は、バイポーラトランジスタ、バイポーラジャンクショントランジスタなどで構成されてもよい。
【符号の説明】
【００５０】
１        乾き度測定装置
１１      発光部
１２      受光部
２０      配管
２１      入射側筒
２２      射出側筒
３０      電源部
３５      抵抗素子
４０      定電流源
５０      切換信号生成部
６０      ＬＥＤ切換部
７０      輝度制御部切換部
８０      輝度制御部
１００    コンピュータ装置
２００    乾き度測定部
３００    制御回路
【図１】
2016151432.tif 000003
【図２】
2016151432.tif 000004
【図３】
2016151432.tif 000005
【図４】
2016151432.tif 000006